(57)【要約】【課題】電気端子ブロック組立体を有する電気モータ駆動式圧縮機および対応する組立方法を提供すること。【解決手段】電気端子ブロック組立体は、モータ固定子ケーブルと端子ブロックの組立体の端子棒との連結前にモータ固定子ケーブルの突耳端部を受け入れるための足場特徴部を有する基板を含む。このようにして、端子ブロック組立体が筺体内に下げられ、モータ固定子ケーブルがユーザから見えなくなると、固定子ケーブル締結具は、端子棒内の固定子ケーブル取付穴を通り抜けて、基板の足場特徴部によって適正な位置に保持されている固定子ケーブル突耳と係合することができる。固定子ケーブル締結具の回転の際、固定子ケーブル突耳は、引き出されて端子棒と導電係合状態になることができる。【選択図】図５
2015213422.tif 000002
【特許請求の範囲】
【請求項１】
電気を受け入れるための電気端子ブロック組立体を有する電気モータ駆動式圧縮機であって、前記電気端子ブロック組立体が、
前記モータ駆動式圧縮機のモータ固定子と電気的に接続する、少なくとも１つのモータ固定子ケーブルを受け入れるように構成された基板であって、前記モータ固定子ケーブルが、その端部に固定子ケーブル突耳を含む、基板と、
前記基板に隣接して位置付けられ、中に配設された少なくとも１つの導電性端子棒を含む端子ブロックであって、前記端子棒が、少なくとも１つの固定子ケーブル取付体および少なくとも１つの制御装置ケーブル取付体を含む、端子ブロックと、
前記端子ブロックに隣接して位置するカバーとを備え、
前記基板が、さらに、前記固定子ケーブル突耳を位置付けるように構成された足場特徴部を含み、前記固定子ケーブル取付体が、前記足場特徴部と位置合わせされ、前記固定子ケーブル取付体は、そこから固定子ケーブル締結具を受け入れて、前記固定子ケーブル突耳を前記固定子ケーブル取付体に連結するように構成され、
前記制御装置ケーブル取付体が、モータ制御装置と電気的に接続する制御装置ケーブルを受け入れるように構成され、前記制御装置ケーブルは、その端部上に制御装置ケーブル突耳を含み、前記制御装置ケーブル取付体は、そこから制御装置ケーブル締結具を受け入れて前記制御装置ケーブル突耳を前記制御装置ケーブル取付体に連結するように構成され、
前記固定子ケーブル突耳が、前記固定子ケーブル締結具との係合によって前記足場特徴部から引き出されて端子棒と接触状態になるように構成される、電気モータ駆動式圧縮機。
【請求項２】
前記カバーが、さらに、前記端子ブロックに向かって延びる畝部を含み、前記畝部が、前記固定子ケーブル締結具を前記固定子ケーブル突耳から係合解除することを防止するように、また、前記制御装置ケーブル締結具を前記制御装置ケーブル取付体から係合解除することを防止するように構成される、請求項１に記載の電気モータ駆動式圧縮機。
【請求項３】
前記基板が、さらに、前記固定子ケーブル突耳が前記固定子ケーブル締結具との係合または前記固定子ケーブル締結具からの係合解除の際に回転することを防止するように構成された少なくとも１つの突耳位置決め特徴部を含む、請求項１に記載の電気モータ駆動式圧縮機。
【請求項４】
前記突耳位置決め特徴が、さらに、前記固定子ケーブル突耳の一部分をその間に回転式に拘束するように構成された複数のほぼ平行な壁の対を備える、請求項３に記載の電気モータ駆動式圧縮機。
【請求項５】
前記端子ブロックが、前記端子棒を収容する通路を含む、請求項１に記載の電気モータ駆動式圧縮機。
【請求項６】
前記カバーが、非導電性材料から構築され、防水性である、請求項１に記載の電気モータ駆動式圧縮機。
【請求項７】
前記基板および前記端子ブロックが、４つの側壁を備える端子ブロック筺体内に受け入れられる、請求項１に記載の電気モータ駆動式圧縮機。
【請求項８】
前記カバーが、前記側壁の少なくとも１つに固着されるように構成される、請求項７に記載の電気モータ駆動式圧縮機。
【請求項９】
前記端子ブロック筺体の前記壁の１つが、前記制御装置ケーブルの端部をそこから受け入れるように構成された少なくとも１つの進入ポートを含む、請求項６に記載の電気モータ駆動式圧縮機。
【請求項１０】
前記基板が、非導電性材料から構築される、請求項１に記載の電気モータ駆動式圧縮機。
【発明の詳細な説明】
【技術分野】
【０００１】
[0001]本発明は、電気を受け入れるための電気端子ブロック組立体を有する電気式ターボチャージャまたは燃料電池電気モータ駆動式ターボ圧縮機に関する。
【背景技術】
【０００２】
[0002]端子ブロックは、通常、物理的および電気的に互いから分離された１つまたは複数の電気接触表面を有する組立体である。たとえば、端子棒が、非導電性ブロック内に保持されてよく、非導電性隔壁によって互いから物理的に隔てられてよい。そのような端子棒は、スプライス接続または他の恒久的な物理的接合技術を用いることなく、共通の極性または相の２つまたはそれ以上のワイヤを一緒に連結する方法を提供する。さらに、端子ブロックは、異なる極性または相のワイヤ間の電気的分離、および／またはワイヤと、端子ブロック組立体を中に含む筺体との間の分離をもたらす役割を果たすことができる。
【０００３】
[0003]電気モータ駆動式ターボ圧縮機などの電気式ターボ機械用途では、電気接続は、圧縮機の回転子を回転させるために必要となり得る。たとえば、モータ駆動式２段圧縮機では、低圧圧縮機翼車が、回転子軸の一方の端部に設けられ、高圧圧縮機翼車が、回転子軸の他方の端部に設けられる。端子ブロックを通してモータ固定子に供給された電気は、回転子を回転させ、それにより、モータ駆動式２段圧縮機の低圧側に入る空気が圧縮され、高圧側に進んだ低圧側からの圧縮された空気は、特有の用途によって必要とされる特定の圧力に達成するようにさらに圧縮され得る。こうして、端子ブロックは、特定の用途を支援するために必要とされ得るモータワイヤおよび他のケーブル配線を連結し、分離する方法を提供することができる。
【発明の概要】
【課題を解決するための手段】
【０００４】
[0004]したがって、電気を受け入れるための電気端子ブロック組立体を有する電気モータ駆動式圧縮機が、提供される。電気端子ブロック組立体は、モータ駆動式圧縮機のモータ固定子と電気的に接続する少なくとも１つのモータ固定子ケーブルを受け入れるように構成された基板を備え、モータ固定子ケーブルは、その端部上に固定子ケーブル突耳を含む。電気端子ブロック組立体は、さらに、基板に隣接して位置し、中に配設された少なくとも１つの導電性端子棒を含む端子ブロックであって、端子棒が、少なくとも１つの固定子ケーブル取付体および少なくとも１つの制御装置ケーブル取付体を含む、端子ブロックと、端子ブロックに隣接して位置するカバーとを含む。基板は、さらに、固定子ケーブル突耳を位置付けるように構成された足場特徴部を含むことができ、固定子ケーブル取付体は、この足場特徴部と位置合わせされ得る。固定子ケーブル取付体は、そこから固定子ケーブル締結具を受け入れて、固定子ケーブル突耳を固定子ケーブル取付体に連結するように構成され得る。制御装置ケーブル取付体は、モータ制御装置と電気的に接続する制御装置ケーブルを受け入れるように構成されてよく、制御装置ケーブルは、その端部上に制御装置ケーブル突耳を含むことができ、この場合、制御装置ケーブル取付体は、そこから制御装置ケーブル締結具を受け入れて、制御装置ケーブル突耳を制御装置ケーブル取付体に連結するように構成される。固定子ケーブル突耳は、固定子ケーブル締結具との係合によって足場特徴部から引き出されて端子棒と接触状態になるように構成され得る。
【０００５】
[0005]一部の実施形態では、カバーは、端子ブロックに向かって延びる畝部を含むことができ、この畝部は、固定子ケーブル締結具を固定子ケーブル突耳から係合解除することを防止するように、また、制御装置ケーブル締結具を制御装置ケーブル取付体から係合解除することを防止するように構成され得る。基板は、固定子ケーブル突耳が、固定子ケーブル締結具との係合または固定子ケーブル締結具からの係合解除の際に回転することを防止するように構成された少なくとも１つの突耳位置決め特徴部を含むことができる。突耳位置決め特徴部は、固定子ケーブル突耳の一部分をその間に回転式に拘束するように構成された複数のほぼ平行な壁の対を備えることができる。
【０００６】
[0006]一部の場合、端子ブロックは、端子棒を収容する通路を含むことができる。さらに、カバーは、非導電性材料から構築されてよく、防水性でよい。基板および端子ブロックは、４つの側壁を備える端子ブロック筺体内に受け入れられてよく、カバーは、側壁の少なくとも１つに固着されるように構成されてよい。端子ブロック筺体の壁の１つは、制御装置ケーブルの端部をそこから受け入れるように構成された少なくとも１つの進入ポートを含むことができる。一部の場合、基板は、非導電性材料から構築されてよい。
【０００７】
[0007]他の実施形態では、電気端子ブロック組立体を有する電気モータ駆動式圧縮機を組み立てる方法が、提供され得る。方法は、電気端子ブロック組立体の筺体を電気モータ駆動式圧縮機のモータハウジングの近位に固着することを含むことができ、この場合、筺体は、基板および基板に隣接して位置する端子ブロックを収容し、基板は、足場特徴部を含む。方法は、さらに、固定子ケーブル突耳をその端部上に含む少なくとも１つのモータ固定子ケーブルを筺体内に通すことであって、少なくとも１つのモータ固定子ケーブルが、モータ駆動式圧縮機のモータと電気的に接続する、進めることと、固定子ケーブル突耳を基板の足場特徴部上に取り付けるステップとを含むことができる。方法は、さらに、端子ブロックの少なくとも１つの固定子ケーブル取付体が、基板の足場特徴部および固定子ケーブル突耳と位置合わせされるように、少なくとも１つの導電性端子棒を端子ブロック内に挿入することと、固定子ケーブル突耳が、基板の足場特徴部から引き出されて端子棒と接触状態になるように、締結具を固定子ケーブル取付体を介して固定子ケーブル突耳に係合させることとを含むことができる。
【０００８】
[0008]一部の場合、カバーが筺体に装着されてよく、この場合、カバーおよび筺体は、その中に防水性の、電気的に絶縁された環境をもたらす。端子棒は、制御装置ケーブル取付体を含むことができ、方法は、さらに、少なくとも１つの制御装置ケーブルの端部を、筺体の側壁内に画定された進入ポートを介して筺体内に挿入することを含むことができ、この場合、制御装置ケーブルは、モータ制御装置と電気的に接続しており、その端部上に制御装置ケーブル突耳を含む。制御装置ケーブルは、制御装置ケーブル締結具によって端子棒の制御装置ケーブル取付体に連結され得る。
【０００９】
[0009]一部の実施形態では、制御装置ケーブルの装着特徴部が、筺体の側壁の外側表面に固定され得る。カバーが筺体に装着されてよく、この場合、カバーは、端子ブロックに向かって延びる少なくとも１つの非導電性畝部を含み、この畝部は、固定子ケーブル締結具を固定子ケーブル突耳から係合解除することを防止するように、また制御装置ケーブル締結具を制御装置ケーブル取付体から係合解除することを防止するように構成される。畝部は、非導電性カバー内側ライナによって画定されてよく、方法は、さらに、非導電性カバー内側ライナをカバーの内部表面に装着することを含むことができる。
【００１０】
[0010]一部の場合、少なくとも１つの固定子ケーブル突耳の圧着バレルが、基板の対応する突耳位置決め特徴部内に配設されてよく、この場合、突耳位置決め特徴部は、固定子ケーブル突耳が、固定子ケーブル締結具との係合または固定子ケーブル締結具からの係合解除の際に回転することを防止するように構成される。突耳位置決め特徴部は、固定子ケーブル突耳の一部分をその間に回転式に拘束するように構成された複数のほぼ平行な壁の対を備えることができる。端子ブロックは、端子棒を受け入れるように構成された通路を含むことができ、基板は、非導電性材料から構築されてよい。
【００１１】
[0011]本開示は一般的用語でこうして説明されてきたが、次に、必ずしも正寸ではない添付の図に参照がなされる。
【図面の簡単な説明】
【００１２】
【図１】[0012]本発明の１つの実施形態による、モータ駆動式２段圧縮機の簡略化された断面図である。
【図２】[0013]本発明の１つの実施形態による、端子ブロック組立体用の筺体が中に装着されたモータ駆動式２段圧縮機の斜視図である。
【図３】[0014]本発明の１つの実施形態による、カバーの一部分が取り外された図２の筺体の詳細斜視図である。
【図４】[0015]本発明の１つの実施形態による、ケーブル突耳を端部に備えた制御装置ケーブルの斜視図である。
【図５】[0016]本発明の１つの実施形態による、図２の端子ブロック組立体の断面図である。
【図５Ａ】[0017]本発明の１つの実施形態による、固定子ケーブル突耳を端子棒に連結する前の、足場に置かれた構成の図５の基板および端子棒の一部分の詳細断面図である。
【図６】[0018]本発明の１つの実施形態による、通路の１つが、モータ固定子ケーブルを、足場に置かれた位置に保持している基板の上面図である。
【図７】[0019]本発明の一実施形態による、足場に置かれたモータ固定子ケーブルを示す図６の基板の側面図である。
【図８】[0020]本発明の１つの実施形態による、固定子ケーブル突耳および係合部分の上面図である。
【図９】[0021]本発明の１つの実施形態による、図８の固定子ケーブル突耳および係合部分の側面図である。
【図１０】[0022]本発明の１つの実施形態による、図８の固定子ケーブル突耳および係合部分の底面図である。
【図１１】[0023]本発明の１つの実施形態による、端子棒が中に挿入された端子ブロックの斜視図である。
【図１２】[0024]本発明の１つの実施形態による、端子棒が中に挿入された端子ブロックの上面図である。
【図１３】[0025]本発明の１つの実施形態による、中に挿入された端子棒と端子ブロックの係合を示す、図１２の端子ブロックの断面図である。
【図１４】[0026]本発明の１つの実施形態による、中に挿入された端子棒と端子ブロックの係合を示す、図１２の端子ブロックの断面図である。
【発明を実施するための形態】
【００１３】
[0027]次に、本発明は、これ以後、本発明のすべてではないが一部が示される添付の図を参照してより完全に説明される。実際、これらの発明は、多くの異なる形態で具現化されてよく、本明細書に記載された実施形態に限定されるものとして解釈されてはならず、そうではなく、これらの実施形態は、本開示が適用される法的要求事項を満たすように提供される。類似の参照番号は、全体にわたって類似の要素を指す。
【００１４】
[0028]（プロトン交換膜（ＰＥＭ）燃料電池などの）燃料電池と共に使用するためのモータ駆動式２段圧縮機１０の簡易化された断面図が、図１に示される。モータ駆動式２段圧縮機１０は、圧縮機のそれぞれの端部に低圧側１５および高圧側２０を含むことができる。低圧側１５は、入口８５を通してほぼ大気圧および温度の周囲空気を引き入れる圧縮機翼車２５を含むことができる。圧縮機翼車２５が回転されると、圧縮機翼車の翼板は、周囲空気を、大気圧を上回る第１の圧力まで圧縮する。この「低圧」空気は、モータ駆動式２段圧縮機１０の高圧側２０まで通され、ここでは別の圧縮機翼車３０が、この空気を、大気圧を上回る、より高い第２の圧力にさらに圧縮する。この「高圧」空気は、次いで、燃料電池（図示せず）のカソード側に送られ、ここでこれは、電気を生み出す燃料電池反応のために酸素を供給する。
【００１５】
[0029]図１に示されるように、圧縮機翼車２５、３０は、回転軸、すなわち回転子３５の両端部に装着され、ハウジング５０内で支持され得る。モータ駆動式２段階圧縮機の場合、回転子３５は、モータ固定子４５と共働して回転子を駆動する、回転子内のまたはその周りに巻き付けられた磁石４０を有する部分を含むことができる。この点に関して、モータ固定子４５は、（たとえば燃料セルからの）電流が、回転子３５および圧縮機翼車２５、３０を回転させて上記で説明されたように空気を圧縮することができるように、回転子に対して対向して（たとえば、回転子から離間され回転子を取り囲んで）配設され得る。
【００１６】
[0030]電気は、端子ブロック組立体１００を介してモータ固定子４５に供給されてよく、端子ブロック組立体１００は、供給源（たとえば制御相装置ケーブルを介して）とモータ固定子（たとえばモータ固定子ケーブルを介して）の間に電気接続をもたらすように構成される。端子ブロック組立体１００は、図１では、ページの配向に対してハウジング５０の下面に示されているが、圧縮機１０の他の構成では、端子ブロック組立体１００は、ハウジングの上側に沿って、または圧縮機および／または端子ブロック組立体の構成に応じて任意の他の場所内に配設されてよいことが理解される。実際、本明細書において参照される、図２などの他の図では、端子ブロック組立体１００は、ハウジング５０の上側に配設されて示されている。
【００１７】
[0031]次に図２を参照すると、端子ブロック組立体１００は、筺体１０２を備えることができ、この筺体１０２内には、外部制御装置ケーブル１０５が受け入れられ、（以下で説明される）モータ固定子ケーブルに連結され得る。筺体１０２は、モータハウジング５０から離れるように延びる４つの側壁１２０を備えることができ、側壁１２０は、カバー１６５および（図５に示される）ガスケット１６７と係合して、筺体の内側に、その中で行われる電気接続のために防水性の、電気的に絶縁された環境をもたらすように構成される。したがって、一部の実施形態では、カバー１６５は、非導電性かつ防水性の材料から構築されてよい。カバー１６５は、側壁１２０から取り外し可能であるように構成されてよく、それにより、筺体１０２の内部が、たとえば、構成要素を挿入するために、かつ／または制御装置ケーブル１０５と対応するモータ固定子ケーブルとの間の連結を行うためにユーザによって進入可能になり得る。たとえば、一部の実施形態によるカバー１６５は、４つの側壁１２０の少なくとも１つに、１または複数の締結具１６６（たとえば、ボルト、ねじなど）などによって固着されるように構成されてよい。ガスケット１６７は、図５に示されるように、カバー１６５とカバーが係合される側壁１２０の各々の上縁との間の、カバー内に画定された溝内などに配設され得る。
【００１８】
[0032]一部の実施形態によれば、端子ブロック組立体１００は、ユーザが、制御装置ケーブル１０５と端子ブロック組立体１００内に封入されたモータ固定子ケーブルとの間の肉眼によらない（ｂｌｉｎｄ）連結を実行することを可能にするように構成され得る。たとえば、図３〜５に示され、以下でより詳細に説明されるように、各々の制御装置ケーブル１０５の端部１１０は、突耳１１２を含むことができ、突耳１１２は、筺体の側壁１２０の１つ内に画定された（図５および１１に最適に示される）個々の進入ポート１１５から挿入されるように構成される。突耳１１２は、端子ブロック組立体１００の端子ブロック１３５内に配設された端子棒１３０に（締結具１２５によって）装着されるように構成され得る。図５に示されるように、端子棒１３０の他方の側では、１つまたは複数のモータ固定子ケーブル１４０が、端子棒に対して事前配置されてよく、それにより、固定子ケーブル１４０と端子棒１３０とのそれぞれの突耳１５５および締結具１７０による連結は、固定子ケーブルが、後方に位置し、端子ブロック組立体１００の対応する端子棒１３０またはさまざまな他の構成要素によって隠され得るため、ユーザがモータ固定子ケーブルを見てまたは操作してこれらを適正な位置に持っていく能力を有することを求めることなく、制御装置ケーブル１０５と対応するモータ固定子ケーブル１４０との間に連結を確立する（図５）役割を果たし、これは、以下で説明される。
【００１９】
[0033]図５は、端子ブロック組立体１００の断面を示す。図５に示されるように、端子ブロック組立体１００の実施形態は、基板１４５を含み、この基板１４５は、筺体１０２内に収容され、モータ駆動式圧縮機のモータ固定子４５と電気的に接続する少なくとも１つのモータ固定子ケーブル１４０を受け入れるように構成される。この点に関して、基板１４５は、プラスチック材料などの非導電性材料から構築されてよい。さらに、一部の実施形態では、基板１４５は、１つまたは複数の特徴部を含むことができ、この特徴部は、モータ固定子ケーブル１４０を、その後の端子棒１３０との係合のために適所に保持する（たとえばその後の連結のためにモータ固定子ケーブルを足場に置く）ように構成される。たとえば、各々のモータ固定子ケーブル１４０は、端子ブロック組立体１００の組み立て中、基板１４５の特徴部の１つまたは複数と係合するように構成されてよく、それにより、基板１４５は、各々のモータ固定子ケーブル１４０を、端子ブロック組立体１００の端子棒１３０との電気接続が完了するまで足場に置いて保持する。
【００２０】
[0034]図６は、端子棒１３０を備えた端子ブロック１３５が、上に位置決めされる前の図５の基板１４５の上面図を示し、図７は、係合されたモータ固定子ケーブル１４０の側面図を示す。図８〜１０に示されるように、モータ固定子ケーブル１４０は、貫通するねじ穴１５７を画定する固定子ケーブル突耳１５５を含むことができる。この点に関して、固定子ケーブル突耳１５５を含むモータ固定子ケーブル１４０の端部は、モータを貫通して設けられた案内ポート１６０を通り抜けることができる。固定子ケーブル突耳１５５は、端子棒１３０を端子ブロック組立体内に置く前に基板１４５に係合されるように構成され得る。たとえば、基板１４５によって画定された足場特徴部１４７は、図６および７に示されるように、突耳１５５のねじ穴１５７に嵌合するように構成され（たとえばサイズ設定され成形され）てよい。足場特徴部１４７は、たとえば、円筒状の突起部または延長部を備えることができ、この円筒状の突起部または延長部は、基板１４５から離れるように延び、突耳１５５のねじ穴１５７の最も狭い寸法にほぼ対応するサイズおよび形状を有する。この点に関して、突耳１５５の穴１５７は、内部ねじ山を画定することができるが、図示される実施形態における足場特徴部１４７の外部表面は、ねじ山を含まなくてよく、ねじ穴１５７内にぴったりと嵌合し、突耳１５５を足場特徴部と係合させて維持しながら、それと同時に、突耳を基板１４５から引き出すために対応する力が突耳にかけられたとき、突耳を足場特徴部から引っ張り出すことを可能にするように構成され得る。このようにして、足場特徴部１４７とねじ穴１５７との係合は、突耳１５５、その結果、モータ固定子ケーブル１４０を、突耳１５５が引き出されて端子棒１３０と係合状態になるようなときまで基板１４５および端子ブロック１３５に対して適所に維持するようにすることができ、これは以下で説明される。固定子ケーブル突耳１５５は、図５Ａでは足場に置かれた位置で示される。
【００２１】
[0035]次に、図５、５Ａ、および１１に移ると、モータ固定子ケーブル１４０（たとえば図６および７）が基板１４５の足場特徴部１４７に係合されると、端子棒１３０が、端子ブロック１３５内に配置されることが可能であり、端子ブロック組立体１００は、各々の端子棒１３０が、対応する固定子ケーブル突耳１５５に隣接して配設されるように基板１４５の上方に下げられることが可能である。この点に関して、図１１〜１３に示されるように、端子ブロック１３５は、複数の隔壁１３６を含むように構成されてよく、複数の隔壁１３６は、端子棒１３０間に配設され、基板１４５に向かうおよびカバー１６５に向かう両方の方向に延び、また、隔壁は、対応する端子棒を受け入れ、収容するように各々が構成された１つまたは複数の通路１３７を画定することができる。端子ブロック１３５は、プラスチックなどの非導電性材料から作製されてよく、基板１４５、ハウジング５０、および／または筺体１０２の別の部分に締結具１９２（図５および１１）によって固定されるように構成されてよい。たとえば、図１３および１４に示されるように、端子ブロック１３５は穴１９４を画定することができ、穴１９４は、端子ブロックを、端子ブロック組立体１００を支持するそれぞれの構造体に取り付けるためにこの穴から締結具１９２を受け入れるように構成される。
【００２２】
[0036]所定位置に固定されたとき、端子ブロック１３５は、各々の端子棒１３０を、基板１４５の対応する足場特徴部１４７の近位にこれと位置合わせされ、その結果足場に置かれた固定子ケーブル突耳１５５とも位置合わせされ、但し（たとえば、図５Ａに足場に置かれて示されるように）突耳とはまだ接触していない位置に受け入れ、保持するように構成され得る。この点に関して、端子ブロック１３５の隔壁１３６の１つまたは複数は、内方向の延長部１３８を画定することができ、延長部１３８は、図１３に示されるように、それぞれの隔壁から離れるようにかつそれぞれの通路１３７の中心に向かって延びる。延長部１３８は、たとえば、特定の通路１３７を画定する隣接する隔壁１３６の対向する内部表面上に設けられてよく、対向する延長部の各々の対は、それぞれの通路１３７に挿入された対応する端子棒１３０と係合するように構成されてよい。たとえば、図１３に示されるような一部の実施形態では、端子棒１３０は、側部の切欠部または溝を含むことができ、これら側部の切欠部または溝は、対応する延長部１３８と係合するように構成され（たとえば、サイズ設定され成形され）、それにより、各々の端子棒１３０は、延長部と位置合わせされ、それぞれの通路１３７内に（たとえば、図１３ではページ内側に向かう方向に）挿入されたとき、摺動されて延長部１３８と係合状態になることができる。
【００２３】
[0037]端子棒１３０が、下にある固定子ケーブル突耳１５５に対して位置決めされた後、固定子ケーブル突耳は、ユーザの視界から隠され得る。それにも関わらず、連結は、固定子ケーブル突耳１５５と、銅または別の導電性金属または材料の組み合わせなどの導電性材料から作製され得る対応する端子棒１３０との間で行われてよく、これは以下で説明される。図１１および１２を参照すると、たとえば、各々の端子棒１３０は、固定子ケーブル取付穴１７５などの固定子ケーブル取付体を備えることができ、固定子ケーブル取付穴１７５は、対応するモータ固定子ケーブル１４０との連結をもたらすために固定子ケーブル取付穴１７５から固定子ケーブル締結具１７０を受け入れるように構成される。たとえば、一部の実施形態では、固定子ケーブル取付穴１７５は、たとえば、ねじ、ボルト、または他の締結具でよい固定子ケーブル締結具１７０を摺動式に受け入れるように構成された穴でよい。固定子ケーブル取付穴１７５を形成する穴の内側表面は、ねじ山を有さなくてよく、穴の直径は、固定子ケーブル締結具１７０のねじ部分の最大直径が、穴と干渉せずにまたは係合せずに穴を通り抜けることができるように十分大きくサイズ設定され得る。
【００２４】
[0038]図５および５Ａを参照すると、固定子ケーブル取付穴１７５は、基板１４５の対応する足場特徴部１４７と位置合わせされ得る。固定子ケーブル締結具１７０は、したがって、端子棒１３０の固定子ケーブル取付穴１７５を通して挿入されてよく、締結具のねじ部分の長さは、締結具ねじ山１７２の少なくとも一部が、端子棒１３０を通り過ぎて延びて、足場に置かれて基板１４５と係合状態にある固定子ケーブル突耳１５５のねじ穴１５７と係合するように十分長くなることができる。したがって、固定子ケーブル締結具１７０が、係合の方向（矢印Ａによって表される）回転されるとき、締結具のねじ山１７２とねじ穴１５７のねじ山との係合は、固定子ケーブル突耳１５５を基板１４５から（たとえば足場特徴部１４７）から離して、端子棒１３０に向かって、図示されるように方向Ｂに引き出す役割を果たすことができる。したがって、端子ブロック１３５は、所定位置になった後、端子棒１３０の固定子ケーブル取付穴１７５が、基板１４５の足場特徴部１４７上に位置決めされたような固定子ケーブル突耳１５５のねじ穴１５７と位置合わせされ得るように構成され得る。このようにして、固定子ケーブル締結具１７０は、固定子ケーブル取付穴１７５を通って延ばされたとき、固定子ケーブル突耳１５５と係合し、突耳を移動させて端子棒１３０のモータ固定子ケーブル取付表面１３３と接触させ、モータ固定子ケーブル１４０と端子棒１３０の間に電気接続をもたらすことが可能になり得る。
【００２５】
[0039]一部の実施形態では、基板１４５は、追加の特徴部を含んで固定子ケーブル突耳１５５を位置決めし、基板に対するその回転移動を限定することができ、それにより、突耳１５５は、固定子ケーブル締結具１７０が、回転されて固定子ケーブル突耳１５５のねじ穴１５７の内部ねじ山と係合するとき、回転式に固定されて保持される。図６および７を参照すると、たとえば、基板１４５は、１つまたは複数の突耳位置決め特徴部１８０を含むことができ、突耳位置決め特徴部１８０は、モータ固定子ケーブル１４０の端部に装着された固定子ケーブル突耳１５５の１つの端部上に設けられた圧着バレル１８２と係合し、その回転を限定するように構成される。突耳位置決め特徴部１８０は、たとえば、ほぼ平行な壁１８４の対を備えることができ、平行な壁１８４の対は、固定子ケーブル突耳１５５の一部分（たとえば圧着バレル１８２の部分）をその間に回転式に拘束するように構成される。たとえば、各々の突耳位置決め特徴部１８０の平行な壁１８４間の距離は、突耳の圧着バレル１８２の（図１０に示される）幅Ｗとほぼ同じでよく、それにより、圧着バレル１８２は、回転力が、（図５Ａに示される）係合された固定子ケーブル締結具１７０の回転によって固定子ケーブル突耳１５５にかけられたとき、横方向移動（たとえば、端子ブロック１３５の隔壁１３６に向かうまたはそこから離れる移動）に抵抗する。このようにして、突耳位置決め特徴部１８０は、回転防止特徴部としての役割を果たすことができ、この回転防止特徴部は、固定子ケーブル突耳１５５が、固定子ケーブル締結具１７０との係合または固定子ケーブル締結具１７０からの係合解除の際に回転することを防止するように構成される。
【００２６】
[0040]モータ固定子ケーブル１４０が、端子棒１３０と電気接触している状態において、端子ブロック組立体１００は、１つまたは複数の制御装置ケーブル１０５を受け入れる態勢になることができる。図４、５、および１１を参照して上に記されたように、突耳１１２を含む各々の制御装置ケーブル１０５の端部は、各々の端子棒１３０の位置に対応する進入ポート１１５を介して端子ブロック組立体１００の筺体１０２内に挿入され得る。各々の制御装置ケーブル１０５の突耳１１２は、端子棒１３０の対応する制御装置ケーブル取付表面１３４上に位置決めされ得る。この点に関して、端子棒１３０は、（たとえば、ねじ穴でよい）制御装置ケーブル取付体１９０を含むことができ、制御装置ケーブル取付体１９０は、（たとえば図４に示される）制御装置ケーブル１０５の突耳１１２の対応する開口部１１３と位置合わせされるように構成され、それにより、制御装置ケーブル締結具１２５が、図３および５に示されるように、制御装置ケーブル突耳１１２を制御装置ケーブル取付表面１３４に装着するために使用され得る。さらに、各々の制御装置ケーブル１０５は、装着特徴部１０７を含むことができ、装着特徴部１０７は、制御ケーブルが挿入される対応する進入ポート１１５の近位で、筺体１０２の側壁１２０の外側表面と係合するように構成される。装着特徴部１０７は、たとえば、穴を含むことができ、または別の形で、装着特徴部を、たとえば側壁１２０に対して適所に装着するために装着特徴部１０７を通して締結具１０９を受け入れるように構成されてよく、それにより、制御装置ケーブル１０５は、端子ブロック組立体１００から不注意で引っ張り出されることが可能でなくなる。
【００２７】
[0041]モータ固定子ケーブル１４０と対応する制御装置ケーブル１０５との間などに、対応する端子棒１３０との接触によって適切な電気接続が行われると、上記で説明され、図５に示されるカバー１６５が、所定位置に置かれ、側壁１２０に対して（たとえば締結具１６６を用いて）固定され、それによって筺体１０２を完成させ、ガスケット１６７を、端子ブロック組立体１００の構成要素のために防水性の絶縁された環境をもたらすように圧縮する。一部の実施形態では、カバー１６５は、その内側表面に非導電性内側ライナ１８７を装着することができ、非導電性内側ライナ１８７は、カバー内側ライナ１８７から端子ブロック１３５に向かって延びる１つまたは複数の非導電性畝部１６８を含むことができる。各々の畝部１６８は、（たとえば図１１に示される）対応する通路１３７に対して位置合わせされ中心揃えされ得る。このようにして、各々の畝部１６８は、各々の締結具が進行できる、端子棒から離れる距離を限定することにより、固定子ケーブル締結具１７０を固定子ケーブル突耳１５５から係合解除することを防止するように構成されてよく、さらに、制御装置ケーブル締結具１２５を端子棒１３０の制御装置ケーブル取付体１９０から係合解除することを防止することができる。
【００２８】
[0042]たとえば、各々の畝部１６８は、端子ブロック１３５に向かって十分な距離を延びることができ、それにより、畝部１６８の縁部とそれぞれの締結具１７、１２５の最も近い表面との間の（図５に示される）隙間ｃ１、ｃ２は、締結具１７０、１２５を（たとえば、固定子ケーブル突耳１５５および端子棒１３０内の制御装置ケーブル取付体１９０内の）対応する係合穴から不注意で係合解除することを防ぐようにサイズ設定される。このようにして、締結具１７０、１２５のいずれかが、それぞれの係合された穴から「後退して出る」場合、締結具は、それぞれの穴から、隙間ｃ１、ｃ２それぞれに等しい固定された距離だけしか係合解除することができない。この隙間は、締結具１７０、１２５のそれぞれの軸の係合長さより小さくなるようにサイズ設定されるため、締結具１７０、１２５の全長の少なくとも一部分は、対応する係合穴に係合されたままになることができ、それによって端子ブロック組立体１００を組み立てられた構成に維持する。換言すれば、締結具１７０、１２５が（たとえば端子ブロック組立体１００および／またはモータハウジング５０の振動によって）後退して出る場合であっても、畝部１６８は、締結具がその係合穴から外れ、および／または（たとえば側壁１２０などの）導電性表面に対して電気的な短絡を引き起こす程度まで緩むことを防止する。一部の実施形態では、畝部１６８は、（上記で述べられた）非導電性プラスチックカバー内側ライナ１８７に画定され、または装着されてよく、非導電性プラスチックカバー内側ライナ１８７は、（たとえば金属でよい）カバーを筺体の残りの部分に固定する前に、カバー１６５の内側表面に（たとえば締結具１８８によって）固定されるように構成される。
【００２９】
[0043]上記で説明されたように、端子ブロック組立体１００の実施形態は、モータ固定子ケーブルと制御装置ケーブルの間の端子連結を容易にするための防水性の電気的に絶縁された筺体を提供する。端子ブロックアセンブリの配置構成は、一部の実施形態によって説明され示されたように、短い、除歪されたモータ固定子ケーブルを筺体の内部に向け、基板上の足場に置くことを可能にするように構成され、それにより、モータ固定子ケーブルは、端子ブロック組立体の端子棒に取り付けられる態勢となり、この端子ブロック組立体は、その後、筺体に挿入され、端子ブロックを介してモータ固定子ケーブルに隣接して位置決めされる。上記で説明されたように固定子ケーブル突耳を足場に置くことは、それ自体端子ブロックの取付のために入れ子にされる必要がない、より短いモータ固定子ケーブルが設けられ得るため、電気接続を行うのに必要とされる空間を低減することができる。上記で説明された端子ブロック組立体の実施形態は、モータ駆動式圧縮機用途に必要とされ得る高電圧および高電流を伝えることを容易にするための機械的連結をもたらすために必要とされるものなどを含む、さまざまな安全考慮事項および規格を満たすように構成され得る。
【００３０】
[0044]本明細書において記載された本発明の多くの改変形態および他の実施形態は、これらの発明が関係する、前述の説明および関連する図に提示された教示の利益を有する当業者に想定されるであろう。したがって、本発明は、開示された特有の実施形態に限定されるものではなく、改変形態および他の実施形態が、付属の特許請求の範囲内に含まれるように意図されることを理解されたい。たとえば、図示された実施形態は、３つの端子棒を受け入れ、３つのモータ固定子ケーブルと３つの制御装置ケーブルとの間の連結を行うための３つの通路を含む端子ブロックを示すが、任意の数の通路および／または端子棒が、特定の用途による決まりに応じて設けられてよい。さらに、本明細書において説明されたさまざまな構成要素の材料、寸法、および特有の構成は、特定の用途、作動制約、およびユーザの好みに応じて、本発明の実施形態の範囲および趣旨から逸脱することなく変えることができる。圧縮機ハウジングに対する端子ブロック組立体の配向（たとえば、圧縮機ハウジングの円周周りの取付場所）もまた、特定の用途およびある種のユーザの好みに応じて変えることができる。さらに、一部の実施形態では、端子ブロック組立体を組み立て、その中に、上記で説明されたような連結を行うことに含まれるステップは、端子ブロック組立体の個々の構成、用途、および／またはユーザの好みに応じて、上記で提供されたものとは異なる順序で行うことができ、一部の場合では、ある種のステップは同時に行うことができる。特有の用語が本明細書において使用されるが、これらは、汎用的および説明的な意味で使用されるにすぎず、限定の目的で使用されない。
【符号の説明】
【００３１】
１０  モータ駆動式２段圧縮機
１５  低圧側
２０  高圧側
２５  圧縮機翼車
３０  別の圧縮機翼車
３５  回転子
４０  磁石
４５  モータ固定子
５０  ハウジング
８５  入口
１００  端子ブロック組立体
１０２  筺体
１０５  外部制御装置ケーブル
１１０  端部
１１５  進入ポート
１０７  装着特徴部
１１２  制御装置ケーブル突耳
１２０  側壁
１２５、１６６、１０９、１７０、１８８、１９２  締結具
１３０  端子棒
１３４  制御装置ケーブル取付表面
１３５  端子ブロック
１３６  隔壁
１３７  通路
１３８  延長部
１４０  モータ固定子ケーブル
１４５  基板
１４７  足場特徴部
１５５  モータ固定子ケーブル突耳
１５７  ねじ穴
１６５  カバー
１６７  ガスケット
１６８  非導電性畝部
１７５  固定子ケーブル取付穴
１８０  突耳位置決め特徴部
１８２  圧着バレル
１８７  非導電性内側ライナ
１８４  ほぼ平行な壁の対
１９４  穴
１９０  制御装置ケーブル取付体
ｃ１、ｃ２  隙間
【図１】
2015213422.tif 000003
【図２】
2015213422.tif 000004
【図３】
2015213422.tif 000005
【図４】
2015213422.tif 000006
【図５】
2015213422.tif 000007
【図５Ａ】
2015213422.tif 000008
【図６】
2015213422.tif 000009
【図７】
2015213422.tif 000010
【図８】
2015213422.tif 000011
【図９】
2015213422.tif 000012
【図１０】
2015213422.tif 000013
【図１１】
2015213422.tif 000014
【図１２】
2015213422.tif 000015
【図１３】
2015213422.tif 000016
【図１４】
2015213422.tif 000017
【外国語明細書】
2015213422000001.pdf